(57)【要約】【課題】  従来の男性用の尿取り袋は、その開口部から陰茎部分が抜け外れやすく、尿が尿取り袋の外に漏れる可能性があった。【解決手段】  本発明による収尿袋１０は、袋状の本体１１と、本体１１の裏面部１１ｂに形成されて陰茎が挿入される開口部１２と、本体１１内に収容され、尿を吸収してこれを保持し得る吸収体１３と、中央部が開口部１２の直上にて裏面部１１ｂに接合され、開口部１２に挿入された陰茎基部に対して両端部が相互に重なり合うように巻き付けられる第１のつなぎ止めテープ１５と、第１のつなぎ止めテープ１５の両端部に設けられ、第１のつなぎ止めテープ１５の相互に重なり合う部分を剥離可能に接合する一対の接合部１６ａ，１６ｂと、基端部が開口部１２の直下にて裏面部１１ｂに接合され、開口部１２に挿入された陰茎部分に沿って添えられて第１のつなぎ止めテープ１５が先端部に重ね合わされる第２のつなぎ止めテープ１７とを具える。【選択図】  図３
2006122141.tif 000002
【特許請求の範囲】
【請求項１】
表面部および裏面部を有する袋状の本体と、
この本体の裏面部に形成されて男性器の陰茎部分が挿入される開口部と、
前記本体内に収容され、尿を吸収してこれを保持し得る吸収体と、
中央部が前記開口部の直上にて前記裏面部に接合され、前記開口部に挿入された陰茎基部に対して両端部が相互に重なり合うように巻き付けられる第１のつなぎ止めテープと、
この第１のつなぎ止めテープの両端部に設けられ、当該第１のつなぎ止めテープの相互に重なり合う部分を剥離可能に接合する一対の接合部と、
基端部が前記開口部の直下にて前記裏面部に接合され、前記開口部に挿入された陰茎部分に沿って添えられて前記第１のつなぎ止めテープが先端部に重ね合わされる第２のつなぎ止めテープと
を具えたことを特徴とする収尿袋。
【請求項２】
前記第２のつなぎ止めテープの先端部と前記第１のつなぎ止めテープの相互に重なり合う部分を相互に剥離可能に接合する一対の接合部をさらに具えたことを特徴とする請求項１に記載の収尿袋。
【請求項３】
前記開口部に挿入された男性器の陰茎基部に当接するように前記第１および第２のつなぎ止めテープの少なくとも一方に形成され、これら第１および第２のつなぎ止めテープの厚み方向に圧縮可能な弾性変形層をさらに具えたことを特徴とする請求項１または請求項２に記載の収尿袋。
【請求項４】
前記第１および第２のつなぎ止めテープの少なくとも一方は、その長手方向に沿って伸張可能な弾性体にて形成され、この弾性体に形成された前記弾性変形層はその伸張に伴って弾性変形可能であることを特徴とする請求項３に記載の収尿袋。
【請求項５】
前記開口部は、左右方向に延在するスリットであることを特徴とする請求項１から請求項４の何れかに記載の収尿袋。
【請求項６】
前記開口部を囲む弾性部材をさらに具えたことを特徴とする請求項１から請求項５の何れかに記載の収尿袋。
【請求項７】
前記本体に形成され、前記吸収体によって吸収されるべき尿を一時的に貯溜するトラップ部をさらに具えたことを特徴とする請求項１から請求項６に記載の収尿袋。
【請求項８】
前記トラップ部は、前記本体の裏面部に形成されていることを特徴とする請求項７に記載の収尿袋。
【請求項９】
前記トラップ部は、前記本体の裏面部を部分的に折り返すことにより形成された折り返し部を有することを特徴とする請求項７または請求項８に記載の収尿袋。
【請求項１０】
前記本体の表面部に形成されて着用する下ばきの内側に収尿袋を剥離可能に接合するためのずれ止め粘着部をさらに具えたことを特徴とする請求項１から請求項９の何れかに記載の収尿袋。
【請求項１１】
前記本体の上端部左右両側に基端部がそれぞれ一体的に連結され、着用者のウエスト部分に巻き付けられて先端部が相互に連結される一対の支持ベルトをさらに具えたことを特徴とする請求項１から請求項１０の何れかに記載の収尿袋。
【発明の詳細な説明】
【技術分野】
【０００１】
本発明は、大量の尿を保持し得るコンパクトでかさばらない男性用の収尿袋に関する。  なお、本明細書において記述される尿を吸収してこれを保持するための「吸収体」とは、フラッフ状パルプや高吸水性樹脂（ＳＡＰ:Super Absorbent Polymer）のみならず、これらを所望の形状に維持するためのティシュやシートなどを含めたものも意図している。
【背景技術】
【０００２】
重度の寝たきりで排尿ケアを必要とする人の多くは、夜間の排尿量が多い時間帯において、展開型の使い捨ておむつと尿パッドとを併用することが一般的である。この場合、尿パッドが尿の吸収の主体として機能し、展開型おむつはおむつカバーのような補助的役割として用いられる。男性の場合、陰茎部分が動いて尿パッドから尿が漏れることがあるため、陰茎部分に対する尿パッドの固定をどのように行うかが非常に重要であり、特許文献１に記載されているように陰茎部分が差し込まれる尿取り袋に形成された開口部を伸縮弾性体にて囲むと共にその開口形状を工夫したり、特許文献２に記載されているように収尿袋に形成された開口部を介して収尿袋内に挿入される陰茎部分に対し、収尿袋に基端部が連結されたテープ状部材の先端側を巻き付けるようにしたものや、あるいは尿パッド自体を陰茎部分に巻き付ける形式のものなども知られている。
【０００３】
上述したような目的で用いられる従来の尿パッドは、液不透過性のバックシートと液透過性のトップシートとの間に尿を吸収保持するための吸収体を介在させた構造を一般的に有する。液体が透過しない液不透過性のバックシートは、尿の漏れを防ぐために吸収体をカバーする機能を有するが、透湿性を持たせるために微小な通気孔を形成したポリエチレンフィルムなどが用いられる。また、吸収体は主にフラッフ状パルプと高吸水性樹脂（以下、ＳＡＰと記述する）とを混合してマット状にしたものをティッシュなどの被覆材で包んで構成されている。
【０００４】
【特許文献１】特開２００２−３６０６２２号公報
【特許文献２】特開２００３−２３５８８４号公報
【発明の開示】
【発明が解決しようとする課題】
【０００５】
男性用の尿パッドの場合、着用中の陰茎部分の動きに尿パッドを追従させる必要があるが、従来のものはこの点に関して不十分であり、着用中に陰茎部分が尿パッドから外れて尿が尿パッド外に漏れてしまうことがしばしばあった。
【０００６】
より具体的には、特許文献１に開示されたものでは、陰茎部分に対する開口部の接触面積を充分に取ることができないので、それを補うために開口部を強く絞った状態では、陰茎部分に対する締め付け力が強すぎて着用感を損なう上、陰茎部分の血流が阻害されてしまう欠点がある。また、特許文献２に開示されたものは、陰茎部分に対してテープ状部材を完全に密着状態で巻き付けることができないため、大きな締め付け力を以て陰茎部分にテープ状部材を巻き付ける必要があり、文献１の場合と同様に着用感を損なう上に陰茎部分の血流が阻害されてしまう欠点があった。さらに、尿パッド自体を陰茎部分に巻き付ける形式のものは、着用時に極めて大きな違和感があり、着用感を著しく損なう欠点があった。
【０００７】
本発明の目的は、着用者の陰茎部分を過度に締め付け過ぎることなく、陰茎部分に対する適正な装着状態を従来のものよりも確実に維持し得ると共に着用感が良好な収尿袋を提供することにある。
【課題を解決するための手段】
【０００８】
本発明による収尿袋は、表面部および裏面部を有する袋状の本体と、この本体の裏面部に形成されて男性器の陰茎部分が挿入される開口部と、前記本体内に収容され、尿を吸収してこれを保持し得る吸収体と、中央部が前記開口部の直上にて前記裏面部に接合され、前記開口部に挿入された陰茎基部に対して両端部が相互に重なり合うように巻き付けられる第１のつなぎ止めテープと、この第１のつなぎ止めテープの両端部に設けられ、当該第１のつなぎ止めテープの相互に重なり合う部分を剥離可能に接合する一対の接合部と、基端部が前記開口部の直下にて前記裏面部に接合され、前記開口部に挿入された陰茎部分に沿って添えられて前記第１のつなぎ止めテープが先端部に重ね合わされる第２のつなぎ止めテープとを具えたことを特徴とするものである。
【０００９】
本発明においては、使用時に男性器の陰茎部分を開口部から本体内に挿入した後、第２のつなぎ止めテープを開口部の外の陰茎部分に沿って添え、次いで第１のつなぎ止めテープを陰茎部分および第２のつなぎ止めテープに重ねて巻き付け、さらに第１のつなぎ止めテープの先端部を相互に重ね合わせて一対の接合部により相互に連結する。このようにして、本体の開口部から差し込まれた陰茎部分を第１および第２のつなぎ止めテープを介して収尿袋に連結し、この状態にて下ばきなどを上から重ねて履き、下ばき内に収尿袋を保持する。尿が本体内に排出された場合、これは吸収体によって吸収保持される。
【００１０】
本発明による収尿袋において、本体がアウターシートと液透過性のインナーシートとを具え、これらの間に吸収体が保持される構造を有するものであってよい。
【００１１】
この場合、アウターシートとして不織布，合成樹脂フィルム，またはこれらを重ね合わせた積層シートを用いることができる。ここで採用し得る不織布として、例えばポリエチレン，ポリプロピレン，ポリエステル，その他の熱可塑性樹脂を原料とする合成繊維からなるものを挙げることができる。また、合成樹脂フィルムとして、例えばポリエチレンシート、特に微孔を形成したポリエチレンシートや、熱可塑性樹脂にフィラーを加えて延伸することにより、透湿性を持たせた液体不透過性のものが好ましい。このような液体不透過性の合成樹脂フィルムを採用した場合、着用中のむれを抑制することができるため、より快適な着用感を得られる。このアウターシートは、収尿袋の仕様形態に応じて液透過性のものを採用することも当然可能であり、その場合には不織布を単独で用いることが好ましい。
【００１２】
また、上述したインナーシートとして、ポリエチレン，ポリプロピレン，ポリエステル，その他の熱可塑性樹脂を原料とした合成繊維からなる不織布を親水化処理したものを採用することができる。
【００１３】
吸収体としては、通常の使いすておむつのような吸収性物品に使用されるものであれば何れも使用可能であるが、ＳＡＰ含有率が高く、薄い吸収体であることが好ましい。すなわち、綿状パルプとＳＡＰとを併用したものや、さらに熱融着繊維を加えたものなどを用いることができ、全体をティッシュのような親水性シートで包んだものが好ましい。この他に、親水性シートの片面にＳＡＰの層を形成したものや、２枚の親水性シートの間にＳＡＰを挟持したものなど、シート状の吸収体を使用することも可能である。
【００１４】
第１および第２のつなぎ止めテープとして、伸縮性および肌触りなどの観点から短冊状の発泡体シート、例えばウレタンフォームを用いることができる。このウレタンフォームを使用した場合、陰茎部の表皮との間の摩擦が大きいため、脱落を防ぐために好都合であるが、摩擦が大きい故に肌が敏感な着用者に違和感を与えるため、その緩和のために表面に不織布を貼ってもよい。第１および第２のつなぎ止めテープとしては、その他に天然系または合成系のウレタン糸，糸ゴム，平ゴムなどの通常の使いすておむつに使用される伸縮弾性部材を不織布間に伸長状態で固定したものや、ホットメルト接着剤などにより接着固定された伸縮性シート、あるいは伸縮フィルムを伸張可能な不織布で挟んだもの、伸縮ネットを伸張可能なネットで挟んだものを用いることができる。
【００１５】
粘着材や面ファスナなどを用いて第２のつなぎ止めテープの先端部と第１のつなぎ止めテープの相互に重なり合う部分を相互に剥離可能に接合する一対の接合部をさらに具えることができる。
【００１６】
開口部に挿入された男性器の陰茎基部に当接するように第１および第２のつなぎ止めテープの少なくとも一方に形成され、これら第１および第２のつなぎ止めテープの厚み方向に圧縮可能な弾性変形層をさらに具えることができる。この場合、第１および第２のつなぎ止めテープの少なくとも一方をその長手方向に沿って伸張可能な弾性体にて形成し、この弾性体の伸張に伴ってここに形成された弾性変形層が共に弾性変形可能となるあることが好ましい。
【００１７】
開口部は、左右方向に延在するスリットであってよい。この開口部は、陰茎部分を挿入しやすい形状および大きさに設定することが必要であり、健常者以外の身体の一部が不自由な着用者にも配慮したものであることが好ましい。陰茎部分に対する挿入の容易性を追及すると、開口部から陰茎部分が抜け外れやすくなり、収尿袋を有効に機能させることが不可能となる。
【００１８】
敏感な陰茎部分に配慮して開口部を柔軟な構造にすることが好ましい。このような観点から、開口部を囲むように弾性部材を設けることは極めて有効であり、この弾性部材としてウレタンフォームシートなどの発泡樹脂シートが好適である。また、陰茎部を収尿袋内に挿入した後に開口部と陰茎部との間に隙間が形成されないように、開口部そのものに伸縮性を付与することも有効である。この目的のため、例えば開口部周辺に天然系または合成系のウレタン糸，糸ゴム，平ゴムなどの伸縮弾性部材を伸長状態で固定し、開口部を弾性的に緊縮状態に保持することが可能である。これにより、着用時は伸縮弾性部材の弾性力に抗して開口部を拡げ、陰茎部を開口部に挿入後は伸縮弾性部材の弾性力によって開口部を緊縮させ、これらの間に隙間が形成されないようにすることができる。
【００１９】
本体に形成され、吸収体によって吸収されるべき尿を一時的に貯溜するトラップ部をさらに具えることができ、このトラップ部を本体の表面部および裏面部の少なくとも一方に形成することが可能である。このトラップ部は、本体の表面部および裏面部の少なくとも一方を部分的に折り返すことにより形成された折り返し部を有することができる。なお、トラップ部を形成したことによる着用中の違和感を少なくするため、このトラップ部が股間部に形成される空間に張り出すことができるように、本体の裏面部に形成する方が好ましいと言えよう。
【００２０】
本体の表面部に形成されて着用する下ばきの内側に収尿袋を剥離可能に接合するためのずれ止め粘着部をさらに具えることができる。
【００２１】
着用者のウエスト部分に巻き付けられて本体の上端部左右両側に連結される支持ベルトをさらに具えることができる。この支持ベルトは、伸縮繊維を含有した布や不織布などを用いて形成することが可能であり、基端部が本体の上端部左右両側にそれぞれ一体的に連結され、先端部が相互に連結される一対の支持ベルトであってよい。この場合、これら一対の支持ベルトの先端部に形成されて相互に重ね合わせた状態で剥離可能に接合する一対の接合部を有することが好ましい。
【発明の効果】
【００２２】
本発明の収尿袋によると、表面部および裏面部を有する袋状の本体の裏面部に男性器の陰茎部分が挿入される開口部を形成し、開口部に挿入される男性器の陰茎基部に対して両端部が相互に重なり合うように巻き付けられる第１のつなぎ止めテープの中央部を開口部の直上にて裏面部に接合し、この第１のつなぎ止めテープの両端部に当該第１のつなぎ止めテープの相互に重なり合う部分を剥離可能に接合する一対の接合部を設け、開口部に挿入された陰茎部分に沿って添えられて第１のつなぎ止めテープが先端部に重ね合わされる第２のつなぎ止めテープの基端部を開口部の直下にて裏面部に接合したので、従来のものよりも陰茎部分に対する接触面積を著しく増大させることができ、陰茎部分から収尿袋がずり落ちるような力に大きな抵抗力を発揮させることが可能である。
【００２３】
第２のつなぎ止めテープの先端部と第１のつなぎ止めテープの相互に重なり合う部分を相互に剥離可能に接合する一対の接合部をさらに具えた場合、第２のつなぎ止めテープと第１のつなぎ止めテープとをより強固に連結することができ、陰茎部に対する第１および第２のつなぎ止めテープのずれをより確実に抑制することができる。
【００２４】
開口部に挿入された男性器の陰茎基部に当接するように第１および第２のつなぎ止めテープの少なくとも一方に、これらの厚み方向に圧縮可能な弾性変形層を形成した場合、陰茎部分に対する第１および第２のつなぎ止めテープの少なくとも一方をソフトな接触状態にすることができ、着用感をより向上させることができる。特に、第１および第２のつなぎ止めテープの少なくとも一方をその長手方向に沿って伸張可能な弾性体にて形成し、この弾性体の伸張に伴って弾性変形層を共に弾性変形可能とした場合、陰茎部分に対する締め付け力を容易に調整することが可能となり、経時的に状態が変化しやすい陰茎部分に対する第１および第２のつなぎ止めテープの継続的な連結をより確実に維持し得る。
【００２５】
開口部が左右方向に延在するスリットの場合、着用中における収尿袋のずり落ちを抑制することができる。
【００２６】
開口部を囲む弾性部材をさらに具えた場合、着用中に開口部から陰茎部分が抜け外れたり、尿が開口部から漏れ出るような不具合を防止することができ、しかも着用感を向上させることができる。
【００２７】
吸収体によって吸収されるべき尿を一時的に貯溜するトラップ部を本体に形成した場合、吸収体が短時間で吸収し切れない尿を一時的にトラップ部に貯溜させ、このトラップ部に貯溜された尿を時間の経過に伴って吸収体に漸次吸収させることが可能となり、吸収体の吸収能力を最大限に発揮させることができる。この結果、吸収体自体の構造を簡略化して収尿袋を薄くコンパクト化することによって着用性を改善することができる。特に、トラップ部を本体の裏面部に形成した場合、トラップ部を股間部で無理なく膨張させることができ、着用中の圧迫感を軽減させることが可能である。
【００２８】
トラップ部が本体の裏面部を部分的に折り返すことによって形成した折り返し部を有する場合、トラップ部を容易に形成することができ、しかも収尿袋がかさばらず、これをコンパクト化させることができる。
【００２９】
着用する下ばきの内側に収尿袋を剥離可能に接合するためのずれ止め粘着部を本体の表面部に形成した場合、下ばきによって収尿袋をより確実に保持することができるため、着用性をさらに向上させることができる。
【００３０】
本体の上端部左右両側に基端部がそれぞれ一体的に連結され、着用者のウエスト部分に巻き付けられて先端部が相互に連結される一対の支持ベルトをさらに具えた場合、長時間に亙る着用中に収尿袋がずり落ちるなどの不具合を確実に防止することができる。
【発明を実施するための最良の形態】
【００３１】
本発明による収尿袋の実施形態について、図１〜図９を参照しながら詳細に説明するが、本発明はこれらの実施形態のみに限らず、これらをさらに組み合わせたり、この明細書の特許請求の範囲に記載された本発明の概念に包含されるあらゆる変更や修正が可能であり、従って本発明の技術思想に帰属する他の任意の技術にも当然応用することができる。
【００３２】
第１の実施形態による収尿袋の着用状態の外観を図１に模式的に示し、その断面構造を図２に示し、この収尿袋の外観を図３に示し、その断面形状を図４に示す。すなわち、本実施形態における収尿袋１０は、表面部１１ａおよび裏面部１１ｂを有し、横長の矩形をなす袋状の本体１１と、この本体１１の裏面部１１ｂに形成されて図２中、二点鎖線で示す男性器の陰茎部分が挿入される開口部１２と、この開口部１２よりも下側に位置するように本体１１内に収容され、尿を吸収してこれを保持し得る吸収体１３と、開口部１２よりも下方に形成されて吸収体１３によって吸収されるべき尿を一時的に貯溜するトラップ部１４と、中央部が開口部１２の直上にて裏面部１１ｂに接合され、開口部１２に挿入された陰茎基部に対して両端部が相互に重なり合うように巻き付けられる第１のつなぎ止めテープ１５と、この第１のつなぎ止めテープ１５の両端部に設けられ、第１のつなぎ止めテープ１５の相互に重なり合う部分を剥離可能に接合する一対の接合部１６ａ，１６ｂと、基端部が開口部１２の直下にて裏面部１１ｂに接合され、開口部１２に挿入された陰茎基部に沿って添えられて第１のつなぎ止めテープ１５が先端部に重ね合わされる第２のつなぎ止めテープ１７と、この第２のつなぎ止めテープ１７の先端部と第１のつなぎ止めテープ１５の相互に重なり合う部分を相互に剥離可能に接合する一対の接合部１８ａ，１８ｂと、本体１１の表面部１１ａに設けられ、着用する下ばき、例えばブリーフＢなどの内側に収尿袋１０を剥離可能に接合するためのずれ止め粘着部１９とを具えている。
【００３３】
外周縁部が密閉状態となった本体１１は、着用時に外側、つまりブリーフＢ側に面する表面部１１ａと、内側、つまり着用者側に面する裏面部１１ｂとを有し、それぞれ可撓性を有するアウターシート２０と液透過性のインナーシート２１とを一体的に接合したものをインナーシート２１が内側となるように袋状に形成したものである。本実施形態では、これらアウターシート２０とインナーシート２１との間に吸収体１３が挟み込まれた状態で保持され、開口部１２から収尿袋１０内に差し込まれる男性器が肌触りの悪い吸収体１３に直接触れないようにし、その着用感を良好に保つことを可能にしている。アウターシート２０は、この収尿袋１０の使用形態に応じて液不透過性または液透過性であってよく、本実施形態では一般的な下ばきの内側に装着することを意図しているため、液不透過性のものを採用している。ただし、液不透過性のアウターシート２０であっても、着用状態におけるむれを防止するため、透湿性、つまり通気性を有するものであることが望ましい。
【００３４】
本体１１の裏面部１１ｂの下部に位置するトラップ部１４は、本体１１の横方向に延在し、本体１１の裏面部１１ｂを部分的に折り返すことによって形成される蛇腹構造の折り返し部１４ａを有している。このトラップ部１４は、吸収体１３が短時間で吸収し切れない尿を一時的に貯溜させるためのものであり、尿がこのトラップ部１４に導かれると、折り返し部１４ａが拡がってトラップ部１４の容積が増大し、尿を確実に貯留することができるようになっている。従って、本体１１の上端縁部から尿が漏れ出すおそれがない場合には、本体１１の上端縁をすべて密閉する必要性はない。
【００３５】
本実施形態における開口部１２は、左右方向に延在するスリット状をなしている。この開口部１２の内側には、陰茎部に対する開口部１２の密着性を向上させるため、開口部１２を囲むように裏面部１１ｂに伸長状態で接合されたテープ状の弾性部材２２が本体１１の裏面部１１ｂを構成するアウターシート２０とインナーシート２１との間に挟まれた状態で配され、これにより開口部１２を絞るギャザーが形成されている。このように、開口部１２を囲む弾性部材２２を設けて開口部１２にギャザーを形成することにより、着用中に開口部１２から陰茎部が抜け外れたり、尿が開口部１２から外に漏れ出るような不具合を防止することができる。
【００３６】
本実施形態における吸収体１３の構造を図５に模式的に示す。すなわち、本実施形態における吸収体１３は、５０〜９５重量％のＳＡＰを含むシート状をなしており、不織布、好ましくは嵩高性と通気性とを有する不織布からなるベースシート２３の表面にカーテンコートの如きラインコーティング技術を適用し、ベースシート２３の長手方向に沿って相互に平行な帯状の高吸収層２４を塗布することにより形成されている。このような吸収体１３は、従来のパルプとＳＡＰとの混合吸収体に対して約１／３以下の厚さ、具体的には最大でも２mm、一般的には１mm以下の厚さにすることができる。これら高吸収層２４には、ＳＡＰが好ましくは８０〜９０％の割合で含まれる。このようなシート状をなす吸収体１３は、ベースシート２３のみの部分と高吸収層２４を形成した部分とが存在するため、尿の拡散性が良好であり、しかも従来のようなパルプとＳＡＰとの混合吸収体では得られない薄型または超薄型にすることができ、着用時のかさばりを最小限に抑えて快適な着用感を得ることができる。このため、外から着用状態を認識されるような不具合を回避することも可能である。
【００３７】
つなぎ止めテープ１５，１７の部分を抽出拡大して図６に示す。すなわち、本実施形態における第１および第２のつなぎ止めテープ１５，１７は、これらの長手方向に沿って伸張可能な弾性体にて形成され、柔軟なリボン状をなす第１のつなぎ止めテープ１５は、陰茎基部を一巻きできる程度の長さを有していればよい。この第１のつなぎ止めテープ１５の左右の自由端に形成される一対の接合部１６ａ，１６ｂは、一方が表面側に形成されると共に他方が裏面側に形成された面ファスナにて構成され、第１のつなぎ止めテープ１５と同材質の柔軟なリボン状をなす第２のつなぎ止めテープ１７の先端部と第１のつなぎ止めテープ１５の相互に重なり合う部分とを相互に剥離可能に接合する一対の接合部１８ａ，１８ｂも同様に、面ファスナにて形成されている。つまり、第１のつなぎ止めテープ１５の一方の自由端の表面側（本体１１の裏面部１１ｂと対向する面側）と、第１のつなぎ止めテープ１５の他方の自由端の裏面側とに一対の接合部１６ａ，１６ｂが形成され、第１のつなぎ止めテープ１５の一方の自由端の裏面側と、第２のつなぎ止めテープ１７の先端部の裏面側とに一対の接合部１８ａ，１８ｂが形成されている。
【００３８】
本実施形態における第２のつなぎ止めテープ１７の表面側には、開口部１２に挿入された男性器の陰茎基部に当接するように第２のつなぎ止めテープ１７の厚み方向に圧縮可能な弾性変形層２５が形成されている。つなぎ止めテープ１５，１７よりも高い表面摩擦を持った連続発泡樹脂などで形成される弾性変形層２５は、第２のつなぎ止めテープ１７の伸張に伴ってその長手方向に沿って弾性変形可能であり、本実施形態ではその表面を横方向に延在する波形に形成し、陰茎の表皮に対するすべり止め効果を持たせている。
【００３９】
なお、弾性変形層２５を第１のつなぎ止めテープ１５にのみ形成したり、あるいは両方のテープ１５，１７に形成するようにしてもよい。例えば、図７に示すように中央部の厚みが最大となるような弾性変形層２５を第１のつなぎ止めテープ１５の裏面側に接合したり、図８に示すように第１のつなぎ止めテープ１５の中央部および第２のつなぎ止めテープ１７の先端部に表面を波形に成形した弾性変形層２５を接合することができる。また、図９に示すように本体１１の中央上端部に開口部１２を形成すると共に第１のつなぎ止めテープ１５を本体１１の上端縁から一体的に延在させることも可能である。また、弾性変形層２５の表面形状は、波形のみならず、任意の凹凸形状に成形したり、あるいは特別な凹凸を形成せずに平坦な表面に形成することも可能である。これら図７〜図９は、図６と同様につなぎ止めテープ１５，１７の部分をそれぞれ抽出拡大したものであり、上述した実施形態と同一機能の要素にはこれと同一符号を記してある。
【００４０】
図１〜図６に示した本実施形態の収尿袋１０を使用する場合、まず収尿袋１０の開口部１２を拡げて男性器の陰茎を開口部１２からできるだけ深く差し込み、次いで第２のつなぎ止めテープ１７の弾性変形層２５が開口部１２から出ている陰茎基部に押し当たるように沿わせ、この状態にて第１のつなぎ止めテープ１５の一方の自由端を引っ張りながら陰茎基部に巻き付けてその裏面部の接合部１８ａを第２のつなぎ止めテープ１７の先端部の裏面部の接合部１８ｂに貼り合わせ、さらに第１のつなぎ止めテープ１５の他方の自由端を引っ張りながら陰茎基部に巻き付けてその裏面部の接合部１６ａを第１のつなぎ止めテープ１５の一方の自由端の表面部の接合部１６ｂに貼り合わせることにより、収尿袋１０の開口部１２に差し込まれた陰茎基部に対し、第１のつなぎ止めテープ１５が弾性力を以て巻き付けられ、収尿袋１０の開口部１２から陰茎の抜け外れが阻止された状態となる。さらに、この状態にてブリーフＢを着用し、収尿袋１０の表面部１１ａに形成されたずれ止め粘着部１９をブリーフＢの内面に接合することにより、ブリーフＢと収尿袋１０との位置ずれを阻止する。
【００４１】
このように、開口部１２から陰茎部が抜け外れる方向に沿って第２のつなぎ止めテープ１７が第１のつなぎ止めテープ１５を介して陰茎基部に押し当てられているため、陰茎部に対する収尿袋１０の追従性を従来のものよりも大きく改善することができ、しかも着用するブリーフＢの内側に収尿袋１０を剥離可能に接合するためのずれ止め粘着部１９を本体１１の表面部１１ａの左右上端部と中央下部とに設けているため、これによって着用中のブリーフＢに対する収尿袋１０の位置ずれをより確実に防止することができる。例えば着用者が自転車などに乗って股関節を激しく動かすような運動を行っても、収尿袋１０から陰茎部が抜け外れるのを防止することが可能である。
【００４２】
なお、本実施形態の如き横長の収尿袋１０は、その一部が着用時に下ばきからはみ出した状態となるため、サポート機能を有するブリーフＢなどと併用することが特に好ましい。また、図１０に示すように本体１１の左右両端部から一対の支持ベルト２６を延在させ、これを着用者のウエストに巻き付けてその両端部を結んだり、上述した接合部１６ａ，１６ｂと同様な一対の接合部を介して連結した場合、さらに長時間に亙る着用中に収尿袋１０がずり落ちるなどの不具合を確実に防止することができる。
【図面の簡単な説明】
【００４３】
【図１】本発明による収尿袋の一実施形態の使用形態を表す概念図である。
【図２】図１に示した収尿袋の使用形態を表す断面図である。
【図３】図１および図２に示した収尿袋の外観を裏面側から見た立体投影図である。
【図４】図３に示した収尿袋の中央部分の縦断面図である。
【図５】図３に示した収尿袋の一部を構成する吸収体の外観を模式的に表す立体投影図である。
【図６】図３に示した収尿袋の開口部近傍を第１および第２のつなぎ止めテープと共に抽出拡大した立体投影図である。
【図７】本発明による収尿袋の開口部近傍を第１および第２のつなぎ止めテープと共に抽出拡大した他の実施形態を表す立体投影図である。
【図８】本発明による収尿袋の開口部近傍を第１および第２のつなぎ止めテープと共に抽出拡大した別な実施形態を表す立体投影図である。
【図９】本発明による収尿袋の開口部近傍を第１および第２のつなぎ止めテープと共に抽出拡大したさらに別な実施形態を表す立体投影図である。
【図１０】本発明による収尿袋の他の実施形態の使用形態を表す概念図である。
【符号の説明】
【００４４】
Ｂ  ブリーフ
１０  収尿袋
１１  本体
１１ａ  表面部
１１ｂ  裏面部
１２  開口部
１３  吸収体
１４  トラップ部
１４ａ  折り返し部
１５  第１のつなぎ止めテープ
１６ａ，１６ｂ  接合部
１７  第２のつなぎ止めテープ
１８ａ，１８ｂ  接合部
１９  ずれ止め粘着部
２０  アウターシート
２１  インナーシート
２２  弾性部材
２３  ベースシート
２４  高吸収層
２５  弾性変形層
２６  支持ベルト
【図１】
2006122141.tif 000003
【図２】
2006122141.tif 000004
【図３】
2006122141.tif 000005
【図４】
2006122141.tif 000006
【図５】
2006122141.tif 000007
【図６】
2006122141.tif 000008
【図７】
2006122141.tif 000009
【図８】
2006122141.tif 000010
【図９】
2006122141.tif 000011
【図１０】
2006122141.tif 000012